(57)【要約】【課題】  トレーの収納物の重さや振動の程度に係わらず、トレーの浮かせた状態を長期に渡って確実に保持できる段ボール製トレー収容箱を提供する。【解決手段】  一枚の両面段ボールで組み立てられ、一方の支持板１１ｂは、収容箱の側板１１の一部を外側のライナの切断によりＶ字状に曲折して構成し、同支持板１１ｂの両端を隣接する側板１２に開口した掛止穴１２ｄに掛止して曲折状態を保持し、他方の支持板１３ｂは、収容箱の底板１３の中央部を切り欠いて上方へ曲折して構成し、同支持板１３ｂの両端を隣接する側板１２の一部を切り欠いて曲折した掛合板１２ａと掛合して曲折状態を保持する。【選択図】図５
0003127525.tif 000002
【実用新案登録請求の範囲】
【請求項１】
一枚の両面段ボールの四辺を内側へ折り込んで二重構造の側板を有する箱体に組み立てられた段ボール箱において、同段ボール箱はトレーの対向する縁片を一対の支持板で所定高さに支持して底面から浮かせた状態に収容するための段ボール製トレー収容箱であって、同支持板は、収容箱の側板の端部を外側のライナの切断により上方へＶ字状に曲折して構成し、同支持板の両端は隣接する側板に開口した掛止穴に掛止して曲折状態を保持したことを特徴とする、段ボール製トレー収容箱。
【請求項２】
一枚の両面段ボールの四辺を内側へ折り込んで二重構造の側板を有する箱体に組み立てられた段ボール箱において、同段ボール箱はトレーの対向する縁片を一対の支持板で所定高さに支持して底面から浮かせた状態に収容するための段ボール製トレー収容箱であって、一方の支持板は、収容箱の側板の端部を外側のライナの切断により上方へＶ字状に曲折して構成し、同支持板の両端を隣接する側板に開口した掛止穴に掛止して曲折状態を保持し、他方の支持板は、収容箱の底板の一部を切り欠いて上方へ曲折して構成し、同支持板の両端を隣接する側板の一部を切り欠いて曲折した掛合板と掛合して曲折状態を保持したことを特徴とする、段ボール製トレー収容箱。
【請求項３】
他方の支持板の中央部に切込みを形成し、同切込みに保持板を上方から差し込んで曲折状態を保持した、請求項２記載の段ボール製トレー収容箱。
【考案の詳細な説明】
【技術分野】
【０００１】
本考案は、トレーの対向する縁片を支持板で所定高さに支持して底面から浮かせた状態に収容できる段ボール製トレー収容箱に関する。
【背景技術】
【０００２】
従来、イチゴ等をパック詰めするためのトレーは薄いプラスチックシートで成形されており、押圧や衝撃に弱く容易に変形するものである。このトレーを運搬する際は段ボール製の収容箱に収容されるが、運搬時の振動や収容箱の積み重ね時にトレーの下面が押圧されてトレーが変形し、パック詰めされた収納物が傷む問題があった。
【０００３】
そこで、トレーの対向する縁片を支持板で所定高さに支持して底面から浮かせた状態に収容できるトレー収容箱が特許文献１で提案されている。しかし、この技術の支持板は、収容箱の側板の一部を切り欠いて若干内側へ曲折しているのみであるから、トレーの収納物の重さや振動の程度によっては支持板が内側へさらに傾いてトレーの位置が徐々に下がり、トレーが収容箱に底付きし易くなる問題があった。
【特許文献１】特開２００５−１５０４６号公報
【考案の開示】
【考案が解決しようとする課題】
【０００４】
本考案が解決しようとする課題は、従来のこれらの問題点を解消し、トレーの収納物の重さや振動の程度に係わらず、トレーの浮かせた状態を長期に渡って確実に保持できる段ボール製トレー収容箱を提供することにある。
【課題を解決するための手段】
【０００５】
かかる課題を解決した本考案の構成は、
１）  一枚の両面段ボールの四辺を内側へ折り込んで二重構造の側板を有する箱体に組み立てられた段ボール箱において、同段ボール箱はトレーの対向する縁片を一対の支持板で所定高さに支持して底面から浮かせた状態に収容するための段ボール製トレー収容箱であって、同支持板は、収容箱の側板の端部を外側のライナの切断により上方へＶ字状に曲折して構成し、同支持板の両端は隣接する側板に開口した掛止穴に掛止して曲折状態を保持したことを特徴とする、段ボール製トレー収容箱
２）  一枚の両面段ボールの四辺を内側へ折り込んで二重構造の側板を有する箱体に組み立てられた段ボール箱において、同段ボール箱はトレーの対向する縁片を一対の支持板で所定高さに支持して底面から浮かせた状態に収容するための段ボール製トレー収容箱であって、一方の支持板は、収容箱の側板の端部を外側のライナの切断により上方へＶ字状に曲折して構成し、同支持板の両端を隣接する側板に開口した掛止穴に掛止して曲折状態を保持し、他方の支持板は、収容箱の底板の一部を切り欠いて上方へ曲折して構成し、同支持板の両端を隣接する側板の一部を切り欠いて曲折した掛合板と掛合して曲折状態を保持したことを特徴とする、段ボール製トレー収容箱
３）  他方の支持板の中央部に切込みを形成し、同切込みに保持板を上方から差し込んで曲折状態を保持した、前記２）記載の段ボール製トレー収容箱
にある。
【考案の効果】
【０００６】
本考案によれば、支持板は外側のライナの切断，掛止穴への掛止，掛合板との掛合により所要の曲折角度を強固に維持するから、トレーの収納物の重さや振動の程度に係わらずトレーの浮かせた状態が長期に渡って保持され、トレーの収納物を従来技術より安全に保護できるようになる。
【考案を実施するための最良の形態】
【０００７】
本考案では、支持板は側板から曲折したものと底板から曲折したものがあり、収容するトレーの数や配置に応じて任意に選択される。また、底板から曲折した支持板にはその中央部に切込みを形成し、同切込みに保持板を上方から差し込むと、支持板の曲折状態をより強固に保持できる。以下、本考案の各実施例を図面に基づいて具体的に説明する。
【実施例１】
【０００８】
図１〜５に示す実施例１は、イチゴを収納したトレーを４個収容できる段ボール製トレー収容箱の例である。図１は実施例１の段ボール製トレー収容箱の斜視図、図２は実施例１の段ボール製トレー収容箱の展開図、図３，４は実施例１の支持板の組み立てを示す斜視図、図５は実施例１の段ボール製トレー収容箱の使用状態を示す縦断面図である。
【０００９】
図中、１０は段ボール製トレー収容箱、１１は側板、１１ａは半切線、１１ｂは支持板，１１ｃは差込片、１２は側板、１２ａは掛合板、１２ｂは掛合部、１２ｃは差込口、１２ｄは掛止穴、１２ｅは手掛け穴、１３は底板、１３ａは切欠き、１３ｂは支持板、１３ｃは切込み、１３ｄは掛合部、１４は保持板、１４ａ，１４ｂは切込み、１５は保持板、１５ａは切込み、１６はフラップ、１７は折曲線、１８は切取線、１９はトレー、１９ａは縁片、Ｃは中しん、Ｆはライナ、Ｐは収納物（イチゴ）である。
【００１０】
実施例１の段ボール製トレー収容箱１０は一枚の両面段ボールで構成され、図２に示すように底板１３となる部分に切欠き１３ａを形成して支持板１３ｂを曲折できるようにし、底板１３の四辺に側板１１，１２を設け、側板１１の端部に支持板１１ｂを設け、側板１１と支持板１１ｂとの境目はライナＦを切断する半切線１１ａを形成し、側板１１の両端部に舌状の差込片１１ｃを設け、側板１２の中央部に掛合部１２ｂを備えた掛合板１２ａを形成し、側板１２の両側部に差込片１１ｃを差し込む差込口１２ｃと支持板１１ｂを掛止する掛止穴１２ｄを形成している。
【００１１】
図３に示すように、底板１３の周囲の対向する側板１１，１２を内側へ折り込んでそれぞれ二重構造にし、側板１１の差込片１１ｃを側板１２の差込口１２ｃに差し込んで箱体にする。側板１１の支持板１１ｂは半切線１１ａを境に上方へＶ字状に鋭角に曲折し、その両端部を側板１１の両端部とともに隣接する側板１２の掛止穴１２ｄにそれぞれ掛止して曲折状態を保持する。
【００１２】
図４に示すように、底板１３の支持板１３ｂは上方へ曲折し、その両端部の掛合部１３ｄを対向する側板１２から曲折した掛合板１２ａの掛合部１２ｂとそれぞれ掛合する。さらに、仕切りを兼ねた保持板１４，１５を十字状に交差させて切込み１４ａ，１５ａ同士を掛合し、保持板１４の切込み１４ｂを各支持板１３ｂの切込み１３ｃと掛合して曲折状態を保持する。以上のようにして、図１に示す４個のトレー１９を収容できる段ボール製トレー収容箱１０を組み立てる。
【００１３】
図５に示すように、収納物Ｐを収納したトレー１９の縁片１９ａを支持板１１ｂ，１３ｂに掛架し、トレー１９の底面が底板１３から所定高さに浮いた状態に収容する。支持板１１ｂは外側のライナＦの切断及び掛止穴１２ｄへの掛止により、所要の角度に強固に保持される。また、支持板１３ｂは掛合板１２ａ及び保持板１４との掛合により、所要の角度に強固に保持される。したがって、収納物Ｐの重さや振動の程度に係わらずトレー１９の浮かせた状態が長期に渡って確実に保持され、収納物Ｐを従来技術より安全に保護できるようになった。
【実施例２】
【００１４】
図６に示す実施例２は、対向する側板から曲折した支持板でトレーを支持できるようにした段ボール製トレー収容箱の例である。図６は実施例２の段ボール製トレー収容箱の使用状態を示す縦断面図である。実施例２の段ボール製トレー収容箱１０は、図６に示すように対向する側板１１から支持板１１ｂをＶ字状にそれぞれ曲折してトレー１９の縁片１９ａを支持している。その他、符号、構成、作用効果は実施例１と同じである。
【産業上の利用可能性】
【００１５】
本考案の段ボール製トレー収容箱は、イチゴ等の傷み易い収納物を収納した変形し易いトレーの運搬に有用である。
【図面の簡単な説明】
【００１６】
【図１】実施例１の段ボール製トレー収容箱の斜視図である。
【図２】実施例１の段ボール製トレー収容箱の展開図である。
【図３】実施例１の支持板の組み立てを示す斜視図である。
【図４】実施例１の支持板の組み立てを示す斜視図である。
【図５】実施例１の段ボール製トレー収容箱の使用状態を示す縦断面図である。
【図６】実施例２の段ボール製トレー収容箱の使用状態を示す縦断面図である。
【符号の説明】
【００１７】
１０  段ボール製トレー収容箱
１１  側板
１１ａ  半切線
１１ｂ  支持板
１１ｃ  差込片
１２  側板
１２ａ  掛合板
１２ｂ  掛合部
１２ｃ  差込口
１２ｄ  掛止穴
１２ｅ  手掛け穴
１３  底板
１３ａ  切欠き
１３ｂ  支持板
１３ｃ  切込み
１３ｄ  掛合部
１４  保持板
１４ａ，１４ｂ  切込み
１５  保持板
１５ａ  切込み
１６  フラップ
１７  折曲線
１８  切取線
１９  トレー
１９ａ  縁片
Ｃ  中しん
Ｆ  ライナ
Ｐ  収納物
【図１】
0003127525.tif 000003
【図２】
0003127525.tif 000004
【図３】
0003127525.tif 000005
【図４】
0003127525.tif 000006
【図５】
0003127525.tif 000007
【図６】
0003127525.tif 000008